(57)【要約】【課題】２つの機器間においてメインストリームと制御信号とが並行して伝送される場合に、制御信号の通信品質が劣化した場合であっても、メインストリームの伝送を途切らせずにメインストリームの伝送を継続する。【解決手段】第１のチャンネルによって伝送されて受信装置によって受信された制御信号の通信品質が第１の品質よりも悪いことが検出された場合に前記受信装置から送信されたチャンネル変更要求を取得する情報取得部と、前記チャンネル変更要求が取得された場合に、前記第１のチャンネルとは異なる第２のチャンネルによる前記受信装置への前記制御信号の伝送を開始する送信制御部と、を備え、前記送信制御部は、前記第２のチャンネルによる前記制御信号の伝送が開始されてから所定の条件が満たされた場合に、前記第１のチャンネルによる前記制御信号の伝送を停止する、送信制御装置が提供される。【選択図】図１
2019123837.tif 000002
【特許請求の範囲】
【請求項１】
第１のチャンネルによって伝送されて受信装置によって受信された制御信号の通信品質が第１の品質よりも悪いことが検出された場合に前記受信装置から送信されたチャンネル変更要求を取得する情報取得部と、
前記チャンネル変更要求が取得された場合に、前記第１のチャンネルとは異なる第２のチャンネルによる前記受信装置への前記制御信号の伝送を開始する送信制御部と、を備え、
前記送信制御部は、前記第２のチャンネルによる前記制御信号の伝送が開始されてから所定の条件が満たされた場合に、前記第１のチャンネルによる前記制御信号の伝送を停止する、
送信制御装置。
【請求項２】
前記情報取得部は、前記所定の条件として、前記第２のチャンネルにより伝送されて前記受信装置によって受信された前記制御信号の通信品質が第２の品質よりも良いという条件が満たされた場合に、前記受信装置から送信された伝送停止要求を取得し、
前記送信制御部は、前記伝送停止要求が取得された場合に、前記第１のチャンネルによる前記制御信号の伝送を停止する、
請求項１に記載の送信制御装置。
【請求項３】
前記送信制御部は、冗長チャンネルを前記第２のチャンネルとして使用する、
請求項１または２に記載の送信制御装置。
【請求項４】
前記送信制御部は、コンテンツが伝送される複数のチャンネルの一部を解放して前記第２のチャンネルとして使用する、
請求項１または２に記載の送信制御装置。
【請求項５】
前記送信制御部は、前記コンテンツのフォーマット変更および前記フォーマット変更に基づく前記コンテンツの伝送チャンネルの伝送構造変更によって前記複数のチャンネルの一部を解放して前記第２のチャンネルとして使用する、
請求項４に記載の送信制御装置。
【請求項６】
前記送信制御部は、前記フォーマット変更および前記伝送構造変更を示す変更通知を前記受信装置に提供する、
請求項５に記載の送信制御装置。
【請求項７】
前記送信制御部は、前記第２のチャンネルの識別情報を前記受信装置に提供する、
請求項１〜６のいずれか一項に記載の送信制御装置。
【請求項８】
前記送信制御装置は、
前記チャンネル変更要求が取得された場合に、前記制御信号が前記第２のチャンネルに繋がる送信部に入力されるように制御する送信信号制御部を備え、
前記送信制御部は、前記チャンネル変更要求が取得された場合に、前記送信部に入力された前記制御信号の前記第２のチャンネルによる伝送が開始されるように前記送信部を制御する、
請求項１〜７のいずれか一項に記載の送信制御装置。
【請求項９】
第１のチャンネルによって伝送されて受信装置によって受信された制御信号の通信品質が第１の品質よりも悪いことが検出された場合に前記受信装置から送信されたチャンネル変更要求を取得することと、
前記チャンネル変更要求が取得された場合に、前記第１のチャンネルとは異なる第２のチャンネルによる前記受信装置への前記制御信号の伝送を開始することと、を備え、
プロセッサにより、前記第２のチャンネルによる前記制御信号の伝送が開始されてから所定の条件が満たされた場合に、前記第１のチャンネルによる前記制御信号の伝送を停止すること、
を含む、送信制御方法。
【請求項１０】
送信装置から第１のチャンネルにより伝送されて受信装置によって受信された制御信号の通信品質が第１の品質よりも悪いことが検出された場合に前記送信装置にチャンネル変更要求を提供する情報提供部と、
前記チャンネル変更要求に基づいて前記第１のチャンネルとは異なる第２のチャンネルによって前記制御信号が前記送信装置から伝送開始されて前記受信装置によって受信された場合に、前記制御信号を取得する受信制御部と、を備え、
前記第２のチャンネルによる前記制御信号の伝送が開始されてから所定の条件が満たされた場合に、前記第１のチャンネルによる前記制御信号の伝送が停止される、
受信制御装置。
【請求項１１】
前記情報提供部は、前記所定の条件として、前記第２のチャンネルにより伝送されて前記受信装置によって受信された前記制御信号の通信品質が第２の品質よりも良いという条件が満たされた場合に、前記送信装置に伝送停止要求を提供し、
前記送信装置によって前記伝送停止要求が取得された場合、前記送信装置によって前記第１のチャンネルによる前記制御信号の伝送が停止される、
請求項１０に記載の受信制御装置。
【請求項１２】
前記第２のチャンネルとして、冗長チャンネルが使用される、
請求項１０または１１に記載の受信制御装置。
【請求項１３】
前記第２のチャンネルとして、コンテンツが伝送される複数のチャンネルの一部が解放されて使用される、
請求項１０または１１に記載の受信制御装置。
【請求項１４】
前記第２のチャンネルとして、前記コンテンツのフォーマット変更および前記フォーマット変更に基づく前記コンテンツの伝送チャンネルの伝送構造変更によって前記複数のチャンネルの一部が解放されて使用される、
請求項１３に記載の受信制御装置。
【請求項１５】
前記受信制御部は、前記フォーマット変更および前記伝送構造変更に応じた変更通知を前記送信装置から取得する、
請求項１４に記載の受信制御装置。
【請求項１６】
前記受信制御部は、前記第２のチャンネルの識別情報を前記送信装置から取得する、
請求項１０〜１５のいずれか一項に記載の受信制御装置。
【請求項１７】
前記受信制御部は、前記第２のチャンネルによって伝送開始された前記制御信号の前記第２のチャンネルに繋がる受信部による受信が開始されるように制御し、
前記受信制御装置は、
前記受信部によって受信された前記制御信号が前記制御信号に対応する出力先に出力されるように制御する受信信号制御部を備える、
請求項１０〜１６のいずれか一項に記載の受信制御装置。
【請求項１８】
送信装置から第１のチャンネルにより伝送されて受信装置によって受信された制御信号の通信品質が第１の品質よりも悪いことが検出された場合に前記送信装置にチャンネル変更要求を提供することと、
プロセッサにより、前記チャンネル変更要求に基づいて前記第１のチャンネルとは異なる第２のチャンネルによって前記制御信号が前記送信装置から伝送開始されて前記受信装置によって受信された場合に、前記制御信号を取得することと、を含み、
前記第２のチャンネルによる前記制御信号の伝送が開始されてから所定の条件が満たされた場合に、前記第１のチャンネルによる前記制御信号の伝送が停止される、
受信制御方法。
【請求項１９】
送信制御装置と、受信制御装置とを有する、信号伝送システムであって、
前記送信制御装置は、
第１のチャンネルによって伝送されて受信装置によって受信された制御信号の通信品質が第１の品質よりも悪いことが検出された場合に前記受信装置から送信されたチャンネル変更要求を取得する情報取得部と、
前記チャンネル変更要求が取得された場合に、前記第１のチャンネルとは異なる第２のチャンネルによる前記受信装置への前記制御信号の伝送を開始する送信制御部と、を備え、
前記送信制御部は、前記第２のチャンネルによる前記制御信号の伝送が開始されてから所定の条件が満たされた場合に、前記第１のチャンネルによる前記制御信号の伝送を停止し、
前記受信制御装置は、
送信装置から前記第１のチャンネルにより伝送されて前記受信装置によって受信された前記制御信号の通信品質が前記第１の品質よりも悪いことが検出された場合に前記送信装置に前記チャンネル変更要求を提供する情報提供部と、
前記チャンネル変更要求に基づいて前記第２のチャンネルによって前記制御信号が前記送信装置から伝送開始されて前記受信装置によって受信された場合に、前記制御信号を取得する受信制御部と、を備える、
信号伝送システム。
【請求項２０】
前記情報取得部は、前記所定の条件として、前記第２のチャンネルにより伝送されて前記受信装置によって受信された前記制御信号の通信品質が第２の品質よりも良いという条件が満たされた場合に、前記受信装置から送信された伝送停止要求を取得し、
前記送信制御部は、前記伝送停止要求が取得された場合に、前記第１のチャンネルによる前記制御信号の伝送を停止する、
請求項１９に記載の信号伝送システム。
【発明の詳細な説明】
【技術分野】
【０００１】
本開示は、送信制御装置、送信制御方法、受信制御装置、受信制御方法および信号伝送システムに関する。
【背景技術】
【０００２】
近年、ビデオ信号および音声信号などのデジタル信号を伝送する通信インタフェースの規格として、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、Ｄｉｓｐｌａｙ  Ｐｏｒｔなどが利用されることがある。かかる規格においては、ビデオ信号および音声信号などのデジタル信号（メインストーム）とメインストリームに関する制御信号とが、２つの機器間において並行して伝送される。【０００３】
このとき、メインストリームを伝送するチャンネル（メインチャンネル）における通信品質が劣化してしまう場合があり得る。そこで、例えば、メインチャンネルにおける通信品質が劣化した場合であっても、メインストリームの伝送を遅延させたり途切らせたりすることなくメインストリームの伝送を継続することが可能な技術が開示されている（例えば、特許文献１参照。）。
【先行技術文献】
【特許文献】
【０００４】
【特許文献１】国際公開第２０１７／１６３５２９号
【発明の概要】
【発明が解決しようとする課題】
【０００５】
しかし、２つの機器間においてメインストリームと制御信号とが並行して伝送される場合に、制御信号の通信品質が劣化した場合であっても、メインストリームの伝送を途切らせずにメインストリームの伝送を継続することが可能な技術が提供されることが望まれる。
【課題を解決するための手段】
【０００６】
本開示によれば、第１のチャンネルによって伝送されて受信装置によって受信された制御信号の通信品質が第１の品質よりも悪いことが検出された場合に前記受信装置から送信されたチャンネル変更要求を取得する情報取得部と、前記チャンネル変更要求が取得された場合に、前記第１のチャンネルとは異なる第２のチャンネルによる前記受信装置への前記制御信号の伝送を開始する送信制御部と、を備え、前記送信制御部は、前記第２のチャンネルによる前記制御信号の伝送が開始されてから所定の条件が満たされた場合に、前記第１のチャンネルによる前記制御信号の伝送を停止する、送信制御装置が提供される。【０００７】
本開示によれば、第１のチャンネルによって伝送されて受信装置によって受信された制御信号の通信品質が第１の品質よりも悪いことが検出された場合に前記受信装置から送信されたチャンネル変更要求を取得することと、前記チャンネル変更要求が取得された場合に、前記第１のチャンネルとは異なる第２のチャンネルによる前記受信装置への前記制御信号の伝送を開始することと、を備え、プロセッサにより、前記第２のチャンネルによる前記制御信号の伝送が開始されてから所定の条件が満たされた場合に、前記第１のチャンネルによる前記制御信号の伝送を停止すること、を含む、送信制御方法が提供される。【０００８】
本開示によれば、送信装置から第１のチャンネルにより伝送されて受信装置によって受信された制御信号の通信品質が第１の品質よりも悪いことが検出された場合に前記送信装置にチャンネル変更要求を提供する情報提供部と、前記チャンネル変更要求に基づいて前記第１のチャンネルとは異なる第２のチャンネルによって前記制御信号が前記送信装置から伝送開始されて前記受信装置によって受信された場合に、前記制御信号を取得する受信制御部と、を備え、前記第２のチャンネルによる前記制御信号の伝送が開始されてから所定の条件が満たされた場合に、前記第１のチャンネルによる前記制御信号の伝送が停止される、受信制御装置が提供される。【０００９】
本開示によれば、送信装置から第１のチャンネルにより伝送されて受信装置によって受信された制御信号の通信品質が第１の品質よりも悪いことが検出された場合に前記送信装置にチャンネル変更要求を提供することと、プロセッサにより、前記チャンネル変更要求に基づいて前記第１のチャンネルとは異なる第２のチャンネルによって前記制御信号が前記送信装置から伝送開始されて前記受信装置によって受信された場合に、前記制御信号を取得することと、を含み、前記第２のチャンネルによる前記制御信号の伝送が開始されてから所定の条件が満たされた場合に、前記第１のチャンネルによる前記制御信号の伝送が停止される、受信制御方法が提供される。【００１０】
本開示によれば、送信制御装置と、受信制御装置とを有する、信号伝送システムであって、前記送信制御装置は、第１のチャンネルによって伝送されて受信装置によって受信された制御信号の通信品質が第１の品質よりも悪いことが検出された場合に前記受信装置から送信されたチャンネル変更要求を取得する情報取得部と、前記チャンネル変更要求が取得された場合に、前記第１のチャンネルとは異なる第２のチャンネルによる前記受信装置への前記制御信号の伝送を開始する送信制御部と、を備え、前記送信制御部は、前記第２のチャンネルによる前記制御信号の伝送が開始されてから所定の条件が満たされた場合に、前記第１のチャンネルによる前記制御信号の伝送を停止し、前記受信制御装置は、送信装置から前記第１のチャンネルにより伝送されて前記受信装置によって受信された前記制御信号の通信品質が前記第１の品質よりも悪いことが検出された場合に前記送信装置に前記チャンネル変更要求を提供する情報提供部と、前記チャンネル変更要求に基づいて前記第２のチャンネルによって前記制御信号が前記送信装置から伝送開始されて前記受信装置によって受信された場合に、前記制御信号を取得する受信制御部と、を備える、信号伝送システムが提供される。
【発明の効果】
【００１１】
以上説明したように本開示によれば、２つの機器間においてメインストリームと制御信号とが並行して伝送される場合に、制御信号の通信品質が劣化した場合であっても、メインストリームの伝送を途切らせずにメインストリームの伝送を継続することが可能な技術が提供される。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１２】
【図１】第１の実施形態に係る信号伝送システムの構成の一例を示す図である。
【図２】第１の実施形態に係る第１の通信装置の機能構成例を示す図である。
【図３】第１の実施形態に係る第２の通信装置の機能構成例を示す図である。
【図４】第１の実施形態に係る信号伝送システムの動作の例を示すフローチャートである。
【図５】第１の実施形態に係る信号伝送システムの動作の例を示すフローチャートである。
【図６】第１の実施形態に係る信号伝送システムの動作の例を示すフローチャートである。
【図７】第２の実施形態に係る信号伝送システムの構成の一例を示す図である。
【図８】第２の実施形態に係る第１の通信装置の機能構成例を示す図である。
【図９】第２の実施形態に係る第２の通信装置の機能構成例を示す図である。
【図１０】第２の実施形態に係る信号伝送システムの動作の例を示すフローチャートである。
【図１１】第２の実施形態に係る信号伝送システムの動作の例を示すフローチャートである。
【図１２】第２の実施形態に係る信号伝送システムの動作の例を示すフローチャートである。
【発明を実施するための形態】
【００１３】
以下に添付図面を参照しながら、本開示の好適な実施の形態について詳細に説明する。なお、本明細書および図面において、実質的に同一の機能構成を有する構成要素については、同一の符号を付することにより重複説明を省略する。
【００１４】
また、本明細書および図面において、実質的に同一の機能構成を有する複数の構成要素を、同一の符号の後に異なる数字を付して区別する。ただし、実質的に同一の機能構成を有する複数の構成要素等の各々を特に区別する必要がない場合、同一符号のみを付する。また、異なる実施形態の類似する構成要素については、同一の符号の後に異なるアルファベットを付して区別する。
【００１５】
なお、説明は以下の順序で行うものとする。
０．背景
１．第１の実施形態
１．１．信号伝送システムの構成
１．２．通信装置の構成
１．３．信号伝送システムの動作
２．第２の実施形態
２．１．信号伝送システムの構成
２．２．通信装置の構成
２．３．信号伝送システムの動作
３．むすび
【００１６】
（０．背景）
まず、本実施形態の背景について説明する。近年、ビデオ信号および音声信号などのデジタル信号を伝送する通信インタフェースの規格として、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、Ｄｉｓｐｌａｙ  Ｐｏｒｔなどが利用されることがある。かかる規格においては、ビデオ信号および音声信号などのデジタル信号（メインストーム）を伝送するチャンネル（メインチャンネル）と制御信号を伝送するチャンネルとは固定的に定義されている。
【００１７】
ところが、光通信などにおいては、デジタル信号が伝送されている間に、通信品質の急激な劣化を生じる事例があることが知られている。したがって、固定的に定義されたチャンネルが利用されている場合において、通信品質の劣化が生じてしまうと、通信が損なわれることがあり得る。特に、メインストリームに関する制御信号がメインストリームと並行して伝送されている場合、その制御信号の通信が損なわれるとメインストリームの伝送にも支障が生じてしまう場合があり得る。
【００１８】
そこで、本実施形態においては、２つの機器間においてメインストリームと制御信号とが並行して伝送される場合に、制御信号の通信品質が劣化した場合であっても、メインストリームの伝送を途切らせずにメインストリームの伝送を継続することが可能な技術を主に説明する。
【００１９】
以上、本実施形態の背景について説明した。
【００２０】
（１．第１の実施形態）
続いて、第１の実施形態について説明する。第１の実施形態においては、冗長チャンネルを用いて制御信号の伝送チャンネルをシームレスに切り替える手法について主に説明する。
【００２１】
（１−１．信号伝送システムの構成）
まず、第１の実施形態に係る信号伝送システムの構成例について説明する。図１は、第１の実施形態に係る信号伝送システム１−１の構成の一例を示す図である。図１に示すように、信号伝送システム１−１は、通信装置１０Ａ−１と通信装置１０Ｂ−１とを有する。また、通信装置１０Ａ−１と通信装置１０Ｂ−１とは、ケーブル６０−１を介して接続されている。
【００２２】
通信装置１０Ａ−１は、コントロールチャンネル用の送信部Ｔｘ（１）、および、コントロールチャンネル用の受信部Ｒｘ（２）を備える。また、通信装置１０Ａ−１は、冗長チャンネル用の送信部Ｔｘ（３）、および、冗長チャンネル用の受信部Ｒｘ（４）を備える。その他、通信装置１０Ａ−１は、冗長チャンネル用の送信部５０Ａ−１、冗長チャンネル用の受信部５０Ａ−２、および、冗長チャンネル用の送信部５０Ａ−３を備える。
【００２３】
通信装置１０Ｂ−１は、コントロールチャンネル用の受信部Ｒｘ（１）、および、コントロールチャンネル用の送信部Ｔｘ（２）を備える。また、通信装置１０Ｂ−１は、冗長チャンネル用の受信部Ｒｘ（３）、および、冗長チャンネル用の送信部Ｔｘ（４）を備える。その他、通信装置１０Ｂ−１は、冗長チャンネル用の受信部５０Ｂ−１、冗長チャンネル用の送信部５０Ｂ−２、および、冗長チャンネル用の受信部５０Ｂ−３を備える。
【００２４】
ケーブル６０−１には、メインチャンネル２０−１〜２０−２、コントロールチャンネル３０−１〜３０−２、および、冗長チャンネル（余剰チャンネル）４０−１〜４０−２が含まれている。
【００２５】
メインチャンネル２０−１〜２０−２は、メインストリーム（コンテンツ）を伝送する伝送路である。図１には、メインチャンネル２０が２本である場合が示されている。しかし、メインチャンネル２０の本数は特に限定されない。すなわち、メインチャンネル２０の本数は、１本であってもよいし、複数本であってもよい。また、図１に示された例では、メインチャンネル２０−１〜２０−２によって双方向通信が可能である。しかし、メインチャンネル２０−１〜２０−２によって片方向通信のみが可能であってもよい。
【００２６】
なお、本開示の各実施形態においては、メインストリームとしてビデオ信号が扱われる例について主に説明する。しかし、メインストリームとして音声信号などの他の種類の信号もビデオ信号と同様に扱われ得る。メインストリームは、送信側において複数の信号に分割されてから送信され、受信側において複数の信号によって受信されてから一つのメインストリームに統合されてもよい。また、図１に示された例では、メインチャンネル２０−１〜２０−２それぞれの受信部および送信部の図示が省略されている。
【００２７】
コントロールチャンネル３０−１〜３０−２は、メインストリームに関する制御信号を伝送する伝送路である。図１には、コントロールチャンネル３０が２本である場合が示されている。しかし、コントロールチャンネル３０の本数は特に限定されない。すなわち、コントロールチャンネル３０の本数は、１本であってもよいし、複数本であってもよい。また、図１に示されるように、コントロールチャンネル３０−１〜３０−２によって双方向通信が可能である。
【００２８】
なお、制御信号は、メインストリームに関する信号である。メインストリームに関する信号は、特に限定されない。例えば、メインストリームに関する信号は、メインストリームに関する付加データなど（例えば、メインストリームのプロファイルなど）であってもよい。
【００２９】
冗長チャンネル４０−１〜４０−２は、冗長に用意された伝送路である。冗長チャンネル４０−１〜４０−２は、特に必要性が生じていない場合には通信には利用されず、必要性が生じた場合に通信に利用されてよい。なお、図１に示された例では、受信部５０Ａ−１および受信部５０Ｂ−１に対応する冗長チャンネル、受信部５０Ａ−２および受信部５０Ｂ−２に対応する冗長チャンネル、受信部５０Ａ−３および受信部５０Ｂ−３に対応する冗長チャンネルの図示が省略されている。
【００３０】
通信装置１０Ａ−１における送信部Ｔｘ（１）によって送信された制御信号は、コントロールチャンネル３０−１を介して、通信装置１０Ｂ−１における受信部Ｒｘ（１）によって受信される。また、通信装置１０Ｂ−１における送信部Ｔｘ（２）によって送信された制御信号は、コントロールチャンネル３０−２を介して、通信装置１０Ａ−１における受信部Ｒｘ（２）によって受信される。
【００３１】
このとき、コントロールチャンネル３０−１によって伝送される制御信号が劣化する場合が想定される。かかる場合には、通信装置１０Ａ−１における冗長チャンネル用の送信部Ｔｘ（３）による制御信号の送信が開始される。かかる制御信号は、冗長チャンネル４０−１によって伝送され、通信装置１０Ｂ−１における冗長チャンネル用の受信部Ｒｘ（３）によって受信される。冗長チャンネル４０−１による制御信号の伝送が安定した場合などには、コントロールチャンネル３０−１による制御信号の伝送は、停止されてよい。
【００３２】
また、コントロールチャンネル３０−２によって伝送される制御信号が劣化する場合も想定される。かかる場合には、通信装置１０Ｂ−１における冗長チャンネル用の送信部Ｔｘ（４）による制御信号の送信が開始される。かかる制御信号は、冗長チャンネル４０−２によって伝送され、通信装置１０Ａ−１における冗長チャンネル用の受信部Ｒｘ（４）によって受信される。冗長チャンネル４０−２による制御信号の伝送が安定した場合などには、コントロールチャンネル３０−２による制御信号の伝送は、停止されてよい。
【００３３】
本開示の各実施形態においては、メインストリームおよび制御信号が光信号によって伝送される場合を主に想定する。しかし、メインストリームおよび制御信号は、電気信号などの他の形態の信号によって伝送されてもよい。なお、通信装置１０Ａ−１は、「受信装置」および「受信制御装置」として機能し得る。このとき、通信装置１０Ｂ−１は、「送信装置」および「送信制御装置」として機能し得る。一方、通信装置１０Ａ−１は、「送信装置」および「送信制御装置」として機能し得る。このとき、通信装置１０Ｂ−１は、「受信装置」および「受信制御装置」として機能し得る。
【００３４】
以上、第１の実施形態に係る信号伝送システム１−１の構成例について説明した。
【００３５】
（１−２．通信装置の構成）
続いて、第１の実施形態に係る通信装置１０の構成例について説明する。
【００３６】
図２は、第１の実施形態に係る通信装置１０Ａ−１の機能構成例を示す図である。図２に示すように、通信装置１０Ａ−１は、スイッチ部１１０Ａ、送信信号制御部１２０Ａ−１、情報取得部１３０Ａ−１、送信制御部１４０Ａ−１、受信信号制御部１５０Ａ−１、情報提供部１６０Ａ−１、受信制御部１７０Ａ−１、送信部Ｔｘ（１）、受信部Ｒｘ（２）、送信部Ｔｘ（３）、および、受信部Ｒｘ（４）を備える。なお、図の簡便さを考慮し、図２からは、メインストリームを送受信する構成が省略されている。
【００３７】
図３は、第１の実施形態に係る通信装置１０Ｂ−１の機能構成例を示す図である。図３に示すように、通信装置１０Ｂ−１は、スイッチ部１１０Ｂ、送信信号制御部１２０Ｂ−１、情報取得部１３０Ｂ−１、送信制御部１４０Ｂ−１、受信信号制御部１５０Ｂ−１、情報提供部１６０Ｂ−１、受信制御部１７０Ｂ−１、受信部Ｒｘ（１）、送信部Ｔｘ（２）、受信部Ｒｘ（３）、および、送信部Ｔｘ（４）を備える。なお、図の簡便さを考慮し、図３からは、メインストリームを送受信する構成が省略されている。
【００３８】
図２および図３に示されるように、制御信号ｘ１は、通信装置１０Ａ−１からコントロールチャンネル３０−１を介して送信され、通信装置１０Ｂ−１によって受信される。一方、制御信号ｘ２は、通信装置１０Ｂ−１からコントロールチャンネル３０−２を介して送信され、通信装置１０Ａ−１によって受信される。
【００３９】
ここで、制御信号ｘ１の伝送時における通信装置１０Ａ−１および通信装置１０Ｂ−１の動作は、制御信号ｘ２の伝送時における通信装置１０Ｂ−１および通信装置１０Ａ−１の動作と同様である。したがって、以下では、制御信号ｘ２が、通信装置１０Ｂ−１からコントロールチャンネル３０−２を介して送信され、通信装置１０Ａ−１によって受信される場合を例として説明する。
【００４０】
通信装置１０Ｂ−１において、送信信号制御部１２０Ｂ−１は、制御信号ｘ２に対してコントロールチャンネル３０−２があらかじめ関連付けられていることを把握し、制御信号ｘ２がコントロールチャンネル３０−２に繋がる送信部Ｔｘ（２）に入力されるようにスイッチ部１１０Ｂを制御する。そして、スイッチ部１１０Ｂは、制御信号ｘ２を、送信信号制御部１２０Ｂ−１による制御に従ってコントロールチャンネル３０−２に入力する。
【００４１】
送信制御部１４０Ｂ−１は、コントロールチャンネル３０−２による通信装置１０Ａ−１への制御信号ｘ２の伝送を制御する。より具体的には、送信制御部１４０Ｂ−１は、コントロールチャンネル３０−２に繋がる送信部Ｔｘ（２）を起動することによって、送信部Ｔｘ（２）によって制御信号ｘ２が通信装置１０Ａ−１に送信されるように送信部Ｔｘ（２）を制御する。
【００４２】
送信部Ｔｘ（２）は、送信制御部１４０Ｂ−１による制御に従ってコントロールチャンネル３０−２を介して制御信号ｘ２を通信装置１０Ａ−１に送信する。より具体的には、送信部Ｔｘ（２）は、送信制御部１４０Ｂ−１によって起動された場合、通信装置１０Ａ−１への制御信号ｘ２の送信を開始する。
【００４３】
例えば、送信部Ｔｘ（２）は、ＬＤＤ（レーザダイオードドライバ）およびＬＤ（レーザダイオード）を有する。ＬＤＤはＬＤを駆動し、ＬＤはＬＤＤから入力された制御信号ｘ２をコントロールチャンネル３０−２に出力する。なお、本開示の各実施形態においては、コントロールチャンネル３０−２が光ファイバによって構成され、ＬＤが制御信号ｘ２を光信号に変換してから通信装置１０Ａ−１に送信する場合を想定する。しかし、制御信号ｘ２の形態は限定されない。例えば、送信部Ｔｘ（２）は電気信号により制御信号ｘ２を通信装置１０Ａ−１に送信してもよい。
【００４４】
なお、信号伝送システム１−１における他の送信部、すなわち、送信部Ｔｘ（１）、送信部Ｔｘ（３）、および、送信部Ｔｘ（４）も、送信部Ｔｘ（２）と同様に構成されてよい。
【００４５】
通信装置１０Ａ−１において、受信制御部１７０Ａ−１は、制御信号ｘ２に対してコントロールチャンネル３０−２があらかじめ関連付けられていることを把握し、コントロールチャンネル３０−２によって通信装置１０Ｂ−１から伝送された制御信号ｘ２の受信を制御する。より具体的には、受信制御部１７０Ａ−１は、コントロールチャンネル３０−２に繋がる受信部Ｒｘ（２）を起動することによって、受信部Ｒｘ（２）によって制御信号ｘ２が通信装置１０Ｂ−１から受信されるように受信部Ｒｘ（２）を制御する。
【００４６】
受信部Ｒｘ（２）は、受信制御部１７０Ａ−１による制御に従ってコントロールチャンネル３０−２を介して制御信号ｘ２を通信装置１０Ｂ−１から受信する。より具体的には、受信部Ｒｘ（２）は、受信制御部１７０Ａ−１によって起動された場合、通信装置１０Ｂ−１からの制御信号ｘ２の受信を開始する。
【００４７】
受信部Ｒｘ（２）は、ＰＤ（フォトディテクタ）および増幅器を含む。ＰＤは、通信装置１０Ｂ−１から光信号によって送信された制御信号ｘ２を受光して電気信号に変換する。なお、本開示の各実施形態においては、コントロールチャンネル３０−２が光ファイバによって構成され、ＰＤが制御信号ｘ２を受光して電気信号に変換する場合を想定するが、上記したように、通信装置１０Ｂ−１から通信装置１０Ａ−１に送信される信号の形態は限定されない。例えば、通信装置１０Ａ−１は電気信号により制御信号ｘ２を通信装置１０Ｂ−１から受信してもよい。
【００４８】
なお、信号伝送システム１−１における他の受信部、すなわち、受信部Ｒｘ（１）、受信部Ｒｘ（３）、および、受信部Ｒｘ（４）も、受信部Ｒｘ（２）と同様に構成されてよい。
【００４９】
受信信号制御部１５０Ａ−１は、コントロールチャンネル３０−２に繋がる受信部Ｒｘ（２）によって受信された制御信号ｘ２が制御信号ｘ２に対応する出力先に出力されるようにスイッチ部１１０Ａを制御する。そして、スイッチ部１１０Ａは、制御信号ｘ２を、受信信号制御部１５０Ａ−１による制御に従って制御信号ｘ２に対応する出力先に出力する。
【００５０】
ここで、コントロールチャンネル３０−２によって伝送される制御信号ｘ２の通信品質が急激に劣化した場合を想定する。例えば、制御信号ｘ２が光通信などによって伝送される場合、光デバイスの頓死などによって、制御信号ｘ２の伝送中に急激に制御信号ｘ２の通信品質の劣化が生じる事例があることが知られている。
【００５１】
そして、コントロールチャンネル３０−２によって伝送される制御信号ｘ２の通信品質が劣化した場合、制御信号ｘ２を用いて制御されるメインストリーム（メインチャンネル２０−２によって伝送されるメインストリーム）に影響が及ぶことがある。例えば、制御信号ｘ２が、メインストリームに関する付加データなど（例えば、メインストリームのプロファイルなど）である場合、メインストリームを受信した通信装置１０Ａ−１においてメインストリームが正常に処理されない可能性もある。
【００５２】
このように、コントロールチャンネル３０−２によって伝送される制御信号ｘ２は、メインストリームの正常な処理にとって重要な信号である。そのため、制御信号ｘ２が伝送されている間は、制御信号ｘ２の通信品質が確保されていることが求められる。
【００５３】
そこで、以下では、通信装置１０Ｂ−１からコントロールチャンネル３０−２によって伝送される制御信号ｘ２の通信品質が劣化した場合、冗長チャンネル４０−１、４０−２を用いることによって、制御信号ｘ２の伝送チャンネルをシームレスに切り替える手法について主に説明する。
【００５４】
まず、制御信号ｘ２は、通信装置１０Ｂ−１におけるコントロールチャンネル用の送信部Ｔｘ（２）から、コントロールチャンネル３０−２（第１のチャンネル）により伝送されて、通信装置１０Ａ−１におけるコントロールチャンネル用の受信部Ｒｘ（２）によって受信される。そして、コントロールチャンネル用の受信部Ｒｘ（２）によって制御信号ｘ２の通信品質の劣化が検出されたとする。
【００５５】
例えば、制御信号ｘ２の通信品質の劣化は、制御信号ｘ２の通信品質が第１の閾値（第１の品質）よりも悪いことによって検出され得る。ここで、制御信号ｘ２の通信品質としてはどのようなデータが利用されてもよい。例えば、制御信号ｘ２のエラーレートが高いほど、制御信号ｘ２の通信品質が悪いとされてもよいし、制御信号ｘ２の振幅の低下度合いが大きいほど、制御信号ｘ２の通信品質が悪いとされてもよい。
【００５６】
情報提供部１６０Ａ−１は、コントロールチャンネル用の受信部Ｒｘ（２）によって制御信号ｘ２の通信品質の劣化が検出された場合に、あらかじめ接続確立時に交換された情報によって把握している、通信装置１０Ｂ−１の（１または複数の）冗長チャンネル用の受信部の状態に基づいて、通信装置１０Ｂ−１の冗長チャンネル用の受信部のうち、スタンバイ状態（すなわち、通信装置１０Ａ−１から起動させることが可能な状態）である冗長チャンネル用の受信部を検出する。図１に示された例では、スタンバイ状態である冗長チャンネル用の受信部Ｒｘ（３）が検出される。
【００５７】
情報提供部１６０Ａ−１は、スタンバイ状態である冗長チャンネル用の受信部Ｒｘ（３）に対向する冗長チャンネル用の送信部Ｔｘ（３）を起動する。そして、情報提供部１６０Ａ−１は、冗長チャンネル用の送信部Ｔｘ（３）を介して、通信装置１０Ｂ−１にチャンネル変更要求（以下、「コントロールチャンネル変更要求」とも言う。）を提供する。なお、ここでは、コントロールチャンネル変更要求が受信部起動要求としても機能する場合を主に想定する。しかし、受信部起動要求は、コントロールチャンネル変更要求とは別に提供されてもよい。
【００５８】
なお、通信装置１０Ｂ−１にコントロールチャンネル変更要求が提供された後も、コントロールチャンネル３０−２による制御信号ｘ２の伝送は継続されてよい。通信装置１０Ｂ−１において、スタンバイ状態である冗長チャンネル用の受信部Ｒｘ（３）は、コントロールチャンネル変更要求の受信によって起動される。そして、情報取得部１３０Ｂ−１は、コントロールチャンネル変更要求を取得する。
【００５９】
情報提供部１６０Ｂ−１は、あらかじめ接続確立時に交換された情報によって把握している、通信装置１０Ａ−１の（１または複数の）冗長チャンネル用の受信部の状態に基づいて、通信装置１０Ａ−１の冗長チャンネル用の受信部のうち、スタンバイ状態（すなわち、通信装置１０Ｂ−１から起動させることが可能な状態）である冗長チャンネル用の受信部を検出する。図１に示された例では、スタンバイ状態である冗長チャンネル用の受信部Ｒｘ（４）が検出される。
【００６０】
なお、通信装置１０Ａ−１の冗長チャンネル用の受信部のうち、スタンバイ状態である冗長チャンネル用の受信部は、他の手法によって検出されてもよい。一例として、通信装置１０Ａ−１の冗長チャンネル用の受信部のうち、スタンバイ状態である冗長チャンネル用の受信部は、通信装置１０Ａ−１によってコントロールチャンネル変更要求において指定されてもよい。あるいは、通信装置１０Ａ−１は、コントロールチャンネル変更要求の送信時に通信装置１０Ａ−１の全ての冗長チャンネル用の受信部をスタンバイ状態にしてもよい。
【００６１】
情報提供部１６０Ｂ−１は、スタンバイ状態である冗長チャンネル用の受信部Ｒｘ（４）に対向する冗長チャンネル用の送信部Ｔｘ（４）を起動する。そして、情報提供部１６０Ｂ−１は、冗長チャンネル用の送信部Ｔｘ（４）を介して、通信装置１０Ａ−１にチャンネル変更受託（以下、「コントロールチャンネル変更受託」とも言う。）を提供する。なお、ここでは、コントロールチャンネル変更受託が受信部起動要求としても機能する場合を主に想定する。しかし、受信部起動要求は、コントロールチャンネル変更受託とは別に提供されてもよい。
【００６２】
通信装置１０Ａ−１において、スタンバイ状態である冗長チャンネル用の受信部Ｒｘ（４）は、コントロールチャンネル変更受託の受信によって起動される。なお、上記のように、通信装置１０Ａ−１の冗長チャンネル用の受信部のうち、スタンバイ状態である冗長チャンネル用の受信部が、通信装置１０Ａ−１によって指定されるような場合も想定される。かかる場合には、通信装置１０Ａ−１は、コントロールチャンネル変更受託が受信されなくても、スタンバイ状態である冗長チャンネル用の受信部Ｒｘ（４）を自ら起動し得る。
【００６３】
情報提供部１６０Ａ−１は、冗長チャンネル用の送信部Ｔｘ（３）を介して、通信装置１０Ｂ−１にＤｕｐｌｉｃａｔｅ要求を提供する。すなわち、ここでは、コントロールチャンネル３０−２による制御信号ｘ２の伝送は継続されている場合を想定している。そのため、冗長チャンネル用の送信部Ｔｘ（３）は、コントロールチャンネル３０−２による制御信号ｘ２の伝送と並行して、制御信号ｘ２を通信装置１０Ｂ−１に送信することを要求するためのＤｕｐｌｉｃａｔｅ要求を通信装置１０Ｂ−１に送信する。
【００６４】
通信装置１０Ｂ−１において、情報取得部１３０Ｂ−１が、冗長チャンネル用の受信部Ｒｘ（３）を介してＤｕｐｌｉｃａｔｅ要求を取得すると、送信制御部１４０Ｂ−１は、冗長チャンネル用の送信部Ｔｘ（４）を介して、冗長チャンネル４０−２（第２のチャンネル）による通信装置１０Ａ−１への制御信号ｘ２の伝送を開始する。これによって、冗長チャンネル用の送信部Ｔｘ（４）は、コントロールチャンネル３０−２による制御信号ｘ２の伝送と並行して、制御信号ｘ２を通信装置１０Ａ−１に送信し始める。
【００６５】
より具体的には、情報取得部１３０Ｂ−１によって、冗長チャンネル用の受信部Ｒｘ（３）を介してＤｕｐｌｉｃａｔｅ要求が取得されると、送信信号制御部１２０Ｂ−１は、制御信号ｘ２が冗長チャンネル４０−２（第２のチャンネル）に繋がる冗長チャンネル用の送信部Ｔｘ（４）に入力されるようにスイッチ部１１０Ｂを制御する。そして、送信制御部１４０Ｂ−１は、冗長チャンネル用の送信部Ｔｘ（４）に入力された制御信号ｘ２の冗長チャンネル４０−２による伝送が開始されるように送信部Ｔｘ（４）を制御する。
【００６６】
一方、通信装置１０Ａ−１において、情報提供部１６０Ａ−１によって、冗長チャンネル用の送信部Ｔｘ（３）を介してＤｕｐｌｉｃａｔｅ要求が提供されると、受信制御部１７０Ａ−１は、通信装置１０Ｂ−１から送信された制御信号ｘ２の冗長チャンネル用の受信部Ｒｘ（４）による受信を開始する。これによって、冗長チャンネル用の受信部Ｒｘ（４）は、コントロールチャンネル３０−２による制御信号ｘ２の伝送と並行して、制御信号ｘ２を通信装置１０Ｂ−１から受信し始める。
【００６７】
より具体的には、情報提供部１６０Ａ−１によって、冗長チャンネル用の送信部Ｔｘ（３）を介してＤｕｐｌｉｃａｔｅ要求が提供されると、受信制御部１７０Ａ−１は、伝送が開始された制御信号ｘ２の冗長チャンネル４０−２に繋がる冗長チャンネル用の受信部Ｒｘ（４）による受信が開始されるように受信部Ｒｘ（４）を制御する。受信信号制御部１５０Ａ−１は、冗長チャンネル用の受信部Ｒｘ（４）によって受信された制御信号ｘ２が制御信号ｘ２に対応する出力先に出力されるようにスイッチ部１１０Ａを制御する。
【００６８】
冗長チャンネル用の受信部Ｒｘ（４）は、自身が受信する制御信号ｘ２の通信品質を検出する。そして、冗長チャンネル用の受信部Ｒｘ（４）が、自身が受信する制御信号ｘ２の通信品質が第２の閾値（第２の品質）よりも良いことを検出した場合、情報提供部１６０Ａ−１は、冗長チャンネル用の送信部Ｔｘ（３）を介して、通信装置１０Ｂ−１に変更成功（伝送停止要求）を提供する。
【００６９】
受信制御部１７０Ａ−１は、冗長チャンネル用の受信部Ｒｘ（４）による制御信号ｘ２の受信が開始されてから所定の条件が満たされた場合に、コントロールチャンネル３０−２を介したコントロールチャンネル用の受信部Ｒｘ（２）による制御信号ｘ２の受信を停止する。より具体的には、受信制御部１７０Ａ−１は、情報提供部１６０Ａ−１によって、冗長チャンネル用の送信部Ｔｘ（３）を介して変更成功が提供された場合、コントロールチャンネル用の受信部Ｒｘ（２）の動作を停止してよい。このとき、受信制御部１７０Ａ−１は、冗長チャンネル用の送信部Ｔｘ（３）の動作も停止してよい。これによって、消費電力が低減されることが期待される。
【００７０】
通信装置１０Ｂ−１において、送信制御部１４０Ｂ−１は、冗長チャンネル用の送信部Ｔｘ（４）による制御信号ｘ２の伝送が開始されてから所定の条件が満たされた場合に、コントロールチャンネル３０−２を介したコントロールチャンネル用の送信部Ｔｘ（２）による制御信号ｘ２の伝送を停止する。より具体的に、送信制御部１４０Ｂ−１は、情報取得部１３０Ｂ−１によって、冗長チャンネル用の受信部Ｒｘ（３）を介して変更成功が取得された場合、コントロールチャンネル用の送信部Ｔｘ（２）の動作を停止してよい。このとき、送信制御部１４０Ｂ−１は、冗長チャンネル用の受信部Ｒｘ（３）の動作も停止してよい。これによって、消費電力が低減されることが期待される。
【００７１】
なお、以上においては、所定の条件の例として、通信装置１０Ｂ−１から冗長チャンネル４０−２によって伝送されて通信装置１０Ａ−１によって受信された制御信号ｘ２の通信品質が第２の閾値よりも良いという条件を想定した。しかし、所定の条件は、かかる場合に限定されない。例えば、所定の条件は、冗長チャンネル用の送信部Ｔｘ（４）によって制御信号ｘ２の伝送が開始されてから所定の時間が経過したという条件であってもよい。
【００７２】
以上、第１の実施形態に係る通信装置１０の構成例について説明した。
【００７３】
（１−３．信号伝送システムの動作）
続いて、第１の実施形態に係る信号伝送システム１−１の動作の例について説明する。
【００７４】
図４〜図６は、第１の実施形態に係る信号伝送システム１−１の動作の例を示すフローチャートである。図４〜図６を参照しながら（図１〜図３も適宜参照しながら）、最初に、コントロールチャンネル変更要求を提供する通信装置１０Ａ−１の動作の例について説明し、続いて、コントロールチャンネル変更要求を取得する通信装置１０Ｂ−１の動作の例について説明する。まず、コントロールチャンネル変更要求を提供する通信装置１０Ａ−１の動作の例について説明する。
【００７５】
図４に示されるように、ケーブル６０−１によって両デバイス（通信装置１０Ａ−１と通信装置１０Ｂ−１）が接続され（Ｓ１１Ａ）、通信装置１０Ａ−１の電源がＯＮにされると（Ｓ１２Ａ）、通信装置１０Ａ−１によって、通信装置１０Ｂ−１との間で制御信号およびビデオ信号の通信が開始される（Ｓ１３Ａ）。ここで、コントロールチャンネル用の受信部Ｒｘ（２）によって、自身が受信する制御信号ｘ２の通信品質の劣化を検出した場合を想定する（Ｓ１４Ａ）。
【００７６】
このとき、情報提供部１６０Ａ−１は、通信装置１０Ｂ−１の（１または複数の）冗長チャンネル用の受信部のうち、スタンバイ状態である冗長チャンネル用の受信部を検出する。例えば、情報提供部１６０Ａ−１は、スタンバイ状態である冗長チャンネル用の受信部Ｒｘ（３）を検出したとすると、スタンバイ状態である冗長チャンネル用の受信部Ｒｘ（３）に対向する冗長チャンネル用の送信部Ｔｘ（３）を起動する（Ｓ１５Ａ）。そして、冗長チャンネル用の送信部Ｔｘ（３）は、通信装置１０Ｂ−１にコントロールチャンネル変更要求を提供する（Ｓ１６Ａ）。
【００７７】
図５に示されるように、通信装置１０Ａ−１において、コントロールチャンネル変更要求を提供してからの時間が、コントロールチャンネル変更受託受信のための待機時間を経過した場合には（Ｓ２１Ａにおいて「Ｙｅｓ」）、Ｓ１６Ａのコントロールチャンネル変更要求の再送に動作が移行される。一方、通信装置１０Ａ−１において、コントロールチャンネル変更要求を提供してからの時間が、コントロールチャンネル変更受託受信のための待機時間を経過していない場合には（Ｓ２１Ａにおいて「Ｎｏ」）、Ｓ２２Ａに動作が移行される。
【００７８】
続いて、スタンバイ状態である冗長チャンネル用の受信部Ｒｘ（４）がコントロールチャンネル変更受託を受信しない場合には（Ｓ２２Ａにおいて「Ｎｏ」）、Ｓ２１Ａのコントロールチャンネル変更要求を提供してからの時間が、コントロールチャンネル変更受託受信のための待機時間を経過したか否かの判断に動作が移行される。一方、スタンバイ状態である冗長チャンネル用の受信部Ｒｘ（４）は、コントロールチャンネル変更受託を受信した場合には（Ｓ２２Ａにおいて「Ｙｅｓ」）、コントロールチャンネル変更受託の受信によって起動される（Ｓ２３Ａ）。冗長チャンネル用の送信部Ｔｘ（３）は、通信装置１０Ｂ−１にＤｕｐｌｉｃａｔｅ要求を送信する（Ｓ２４Ａ）。
【００７９】
図６に示されるように、通信装置１０Ｂ−１からＤｕｐｌｉｃａｔｅ要求に基づく制御信号のＤｕｐｌｉｃａｔｅ送信（コントロールチャンネル３０−２によって伝送される制御信号と同一の制御信号の送信）がなされると、冗長チャンネル用の受信部Ｒｘ（４）は、制御信号をＤｕｐｌｉｃａｔｅ受信（コントロールチャンネル３０−２によって伝送される制御信号と同一の制御信号の受信）を行う（Ｓ３１Ａ）。冗長チャンネル用の受信部Ｒｘ（４）は、自身が受信する制御信号とコントロールチャンネル３０−２を介して受信される制御信号とが同一であることを確認する。
【００８０】
なお、冗長チャンネル用の受信部Ｒｘ（４）が受信する制御信号とコントロールチャンネル３０−２を介して受信される制御信号とが同一であることは、どのようにして確認されてもよい。一例として、冗長チャンネル用の受信部Ｒｘ（４）が受信する制御信号に付されるＣＲＣ（Ｃｙｃｌｉｃ  Ｒｅｄｕｎｄａｎｃｙ  Ｃｈｅｃｋ）とコントロールチャンネル３０−２を介して受信される制御信号に付されるＣＲＣとが同一であるか否かによって、制御信号同士が同一であるか否かが確認されてもよい。
【００８１】
続いて、冗長チャンネル用の受信部Ｒｘ（４）が受信する制御信号の通信品質がＮＧである場合、すなわち、通信品質が第２の閾値（第２の品質）よりも良いことが検出されない場合（Ｓ３２Ａにおいて「Ｎｏ」）、冗長チャンネル用の送信部Ｔｘ（３）および冗長チャンネル用の受信部Ｒｘ（４）が、起動されている状態からスタンバイ状態に移行される（Ｓ３４Ａ）。これによって、消費電力が低減されることが期待される。
【００８２】
一方、冗長チャンネル用の受信部Ｒｘ（４）が受信する制御信号の通信品質がＯＫである場合、すなわち、通信品質が第２の閾値（第２の品質）よりも良いことが検出された場合（Ｓ３２Ａにおいて「Ｙｅｓ」）、冗長チャンネル用の送信部Ｔｘ（３）によって変更成功が送信され（Ｓ３３Ａ）、コントロールチャンネル用の受信部Ｒｘ（２）および冗長チャンネル用の送信部Ｔｘ（３）の動作が停止される（Ｓ３５Ａ）。これによって、消費電力が低減されることが期待される。
【００８３】
続いて、図４〜図６を参照しながら（図１〜図３も適宜参照しながら）、コントロールチャンネル変更要求を取得する通信装置１０Ｂ−１の動作の例について説明する。
【００８４】
図４に示されるように、ケーブル６０−１によって両デバイス（通信装置１０Ａ−１と通信装置１０Ｂ−１）が接続され（Ｓ１１Ｂ）、通信装置１０Ｂ−１の電源がＯＮにされると（Ｓ１２Ｂ）、通信装置１０Ｂ−１によって、通信装置１０Ａ−１との間で制御信号およびビデオ信号の通信が開始される（Ｓ１３Ｂ）。ここで、通信装置１０Ａ−１におけるコントロールチャンネル用の受信部Ｒｘ（２）によって、制御信号ｘ２の通信品質の劣化を検出した場合を想定する。
【００８５】
このとき、スタンバイ状態である冗長チャンネル用の受信部Ｒｘ（４）は、通信装置１０Ａ−１からコントロールチャンネル変更要求を受信し（Ｓ１６Ｂ）、コントロールチャンネル変更要求の受信によって起動される（Ｓ１７Ｂ）。そして、情報提供部１６０Ｂ−１によって、通信装置１０Ａ−１の（１または複数の）冗長チャンネル用の受信部の状態に基づいて、通信装置１０Ａ−１の冗長チャンネル用の受信部のうち、スタンバイ状態（すなわち、通信装置１０Ｂ−１から起動させることが可能な状態）である冗長チャンネル用の受信部が検出される。ここでは、スタンバイ状態である冗長チャンネル用の受信部Ｒｘ（４）が検出された場合を想定する。
【００８６】
図５に示されるように、通信装置１０Ｂ−１においては、スタンバイ状態である冗長チャンネル用の受信部Ｒｘ（４）に対向する冗長チャンネル用の送信部Ｔｘ（４）が起動される（Ｓ１７Ｂ）。冗長チャンネル用の送信部Ｔｘ（４）は、コントロールチャンネル変更受託を送信する。そして、冗長チャンネル用の受信部Ｒｘ（３）は、通信装置１０Ａ−１からＤｕｐｌｉｃａｔｅ要求を受信する（Ｓ２４Ｂ）。
【００８７】
図６に示されるように、冗長チャンネル用の送信部Ｔｘ（４）は、Ｄｕｐｌｉｃａｔｅ要求に基づく制御信号のＤｕｐｌｉｃａｔｅ送信（コントロールチャンネル３０−２によって伝送される制御信号と同一の制御信号の送信）を行う（Ｓ３１Ｂ）。通信装置１０Ｂ−１において、制御信号をＤｕｐｌｉｃａｔｅ送信し始めてからの時間が、変更成功受信のための待機時間を経過した場合には（Ｓ３２Ｂにおいて「Ｙｅｓ」）、冗長チャンネル用の受信部Ｒｘ（３）および冗長チャンネル用の送信部Ｔｘ（４）が、起動されている状態からスタンバイ状態に移行される（Ｓ３４Ｂ）。これによって、消費電力が低減されることが期待される。
【００８８】
一方、通信装置１０Ｂ−１において、制御信号をＤｕｐｌｉｃａｔｅ送信し始めてからの時間が、変更成功受信のための待機時間を経過した場合には（Ｓ３２Ｂにおいて「Ｎｏ」）、Ｓ３３Ｂに動作が移行される。
【００８９】
続いて、冗長チャンネル用の受信部Ｒｘ（３）が変更成功を受信しない場合には（Ｓ３３Ｂにおいて「Ｎｏ」）、Ｓ３２Ｂの制御信号をＤｕｐｌｉｃａｔｅ送信し始めてからの時間が、変更成功受信のための待機時間を経過したか否かの判断に動作が移行される。一方、冗長チャンネル用の受信部Ｒｘ（３）は、変更成功を受信した場合には（Ｓ３３Ｂにおいて「Ｙｅｓ」）、コントロールチャンネル用の送信部Ｔｘ（２）および冗長チャンネル用の受信部Ｒｘ（３）の動作が停止される（Ｓ３５Ｂ）。これによって、消費電力が低減されることが期待される。
【００９０】
以上、第１の実施形態に係る信号伝送システム１−１の動作の例について説明した。
【００９１】
（２．第２の実施形態）
続いて、第２の実施形態について説明する。第２の実施形態においては、複数のメインチャンネルの一部を解放して用いて制御信号の伝送チャンネルをシームレスに切り替える手法について主に説明する。
【００９２】
（２−１．信号伝送システムの構成）
まず、第２の実施形態に係る信号伝送システムの構成例について説明する。図７は、第２の実施形態に係る信号伝送システム１−２の構成の一例を示す図である。図７に示すように、信号伝送システム１−２は、通信装置１０Ａ−２と通信装置１０Ｂ−２とを有する。また、通信装置１０Ａ−２と通信装置１０Ｂ−２とは、ケーブル６０−２を介して接続されている。
【００９３】
通信装置１０Ａ−２は、第１の実施形態に係る通信装置１０Ａ−１と同様に、コントロールチャンネル用の送信部Ｔｘ（１）、および、コントロールチャンネル用の受信部Ｒｘ（２）を備える。一方、通信装置１０Ａ−２は、第１の実施形態に係る通信装置１０Ａ−１と異なり、冗長チャンネル用の送信部、および、冗長チャンネル用の受信部を備えていなくてよい。また、通信装置１０Ａ−２は、メインチャンネル用の受信部Ｒｘ（５）〜Ｒｘ（８）を備える。
【００９４】
通信装置１０Ｂ−２は、第１の実施形態に係る通信装置１０Ｂ−１と同様に、コントロールチャンネル用の受信部Ｒｘ（１）、および、コントロールチャンネル用の送信部Ｔｘ（２）を備える。一方、通信装置１０Ｂ−２は、第１の実施形態に係る通信装置１０Ｂ−１と異なり、冗長チャンネル用の送信部、および、冗長チャンネル用の受信部を備えていなくてよい。また、通信装置１０Ｂ−２は、メインチャンネル用の送信部Ｔｘ（５）〜Ｔｘ（８）を備える。
【００９５】
ケーブル６０−２には、メインチャンネル２０−１〜２０−５、および、コントロールチャンネル３０−１〜３０−２が含まれている。
【００９６】
メインチャンネル２０−１〜２０−５は、メインストリーム（コンテンツ）を伝送する伝送路である。図７には、メインチャンネル２０が５本である場合が示されている。しかし、メインチャンネル２０の本数は複数本であれば特に限定されない。また、図７に示された例では、メインチャンネル２０−１〜２０−５によって双方向通信が可能である。しかし、メインチャンネル２０−１〜２０−５によって片方向通信のみが可能であってもよい。
【００９７】
メインチャンネル２０によって伝送されるメインストリーム、コントロールチャンネル３０、コントロールチャンネル３０によって伝送される制御信号については、第１の実施形態において既に説明した通りである。なお、図７に示された例では、メインチャンネル２０−１〜２０−５それぞれの受信部および送信部の図示が省略されている。
【００９８】
ここで、コントロールチャンネル３０−２によって伝送される制御信号が劣化する場合が想定される。かかる場合には、メインチャンネル２０−２〜２０−５によって伝送されているビデオ信号のフォーマット変更および伝送構造変更によって、メインチャンネル２０−２〜２０−５の一部がコントロールチャンネルに変更され、当該コントロールチャンネルによって制御信号の伝送が開始される。図７に示された例では、メインチャンネル２０−５がコントロールチャンネルに変更され、メインチャンネル２０−２〜２０−４は維持されている。なお、コントロールチャンネル３０−１によって伝送される制御信号が劣化した場合も、同様な処理が実行されてよい。
【００９９】
第１の実施形態と同様に、第２の実施形態においても、通信装置１０Ａ−２は、「受信装置」および「受信制御装置」として機能し得る。このとき、通信装置１０Ｂ−２は、「送信装置」および「送信制御装置」として機能し得る。一方、通信装置１０Ａ−２は、「送信装置」および「送信制御装置」として機能し得る。このとき、通信装置１０Ｂ−２は、「受信装置」および「受信制御装置」として機能し得る。
【０１００】
以上、第２の実施形態に係る信号伝送システム１−２の構成例について説明した。
【０１０１】
（２−２．通信装置の構成）
続いて、第２の実施形態に係る通信装置１０の構成例について説明する。
【０１０２】
図８は、第２の実施形態に係る通信装置１０Ａ−２の機能構成例を示す図である。図８に示すように、通信装置１０Ａ−２は、スイッチ部１１０Ａ、送信信号制御部１２０Ａ−２、情報取得部１３０Ａ−２、送信制御部１４０Ａ−２、受信信号制御部１５０Ａ−２、情報提供部１６０Ａ−２、受信制御部１７０Ａ−２、受信部Ｒｘ（２）、受信部Ｒｘ（５）〜Ｒｘ（８）、および、送信部Ｔｘ（１）を備える。なお、図の簡便さを考慮し、図８からは、メインチャンネル２０−１を介したメインストリームを送信する構成が省略されている。
【０１０３】
図９は、第２の実施形態に係る通信装置１０Ｂ−２の機能構成例を示す図である。図９に示すように、通信装置１０Ｂ−２は、スイッチ部１１０Ｂ、送信信号制御部１２０Ｂ−２、情報取得部１３０Ｂ−２、送信制御部１４０Ｂ−２、受信信号制御部１５０Ｂ−２、情報提供部１６０Ｂ−２、受信制御部１７０Ｂ−２、送信部Ｔｘ（２）、送信部Ｔｘ（５）〜Ｔｘ（８）、および、受信部Ｒｘ（１）を備える。なお、図の簡便さを考慮し、図９からは、メインチャンネル２０−１を介したメインストリームを受信する構成が省略されている。
【０１０４】
第２の実施形態においても、第１の実施形態と同様に、制御信号ｘ１は、通信装置１０Ａ−２からコントロールチャンネル３０−１を介して送信され、通信装置１０Ｂ−２によって受信される。一方、制御信号ｘ２は、通信装置１０Ｂ−２からコントロールチャンネル３０−２を介して送信され、通信装置１０Ａ−２によって受信される。
【０１０５】
ここで、制御信号ｘ１の伝送時における通信装置１０Ａ−２および通信装置１０Ｂ−２の動作は、制御信号ｘ２の伝送時における通信装置１０Ｂ−２および通信装置１０Ａ−２の動作と同様である。したがって、以下では、制御信号ｘ２が、通信装置１０Ｂ−２からコントロールチャンネル３０−２を介して送信され、通信装置１０Ａ−２によって受信される場合を例として説明する。
【０１０６】
通信装置１０Ｂ−２において、送信信号制御部１２０Ｂ−２は、制御信号ｘ２に対してコントロールチャンネル３０−２があらかじめ関連付けられていることを把握し、制御信号ｘ２がコントロールチャンネル３０−２に繋がる送信部Ｔｘ（２）に入力されるようにスイッチ部１１０Ｂを制御する。そして、スイッチ部１１０Ｂは、制御信号ｘ２を、送信信号制御部１２０Ｂ−２による制御に従ってコントロールチャンネル３０−２に入力する。
【０１０７】
送信制御部１４０Ｂ−２は、コントロールチャンネル３０−２による通信装置１０Ａ−２への制御信号ｘ２の伝送を制御する。より具体的には、送信制御部１４０Ｂ−２は、コントロールチャンネル３０−２に繋がる送信部Ｔｘ（２）を起動することによって、送信部Ｔｘ（２）によって制御信号ｘ２が通信装置１０Ａ−２に送信されるように送信部Ｔｘ（２）を制御する。
【０１０８】
送信部Ｔｘ（２）は、送信制御部１４０Ｂ−２による制御に従ってコントロールチャンネル３０−２を介して制御信号ｘ２を通信装置１０Ａ−２に送信する。より具体的には、送信部Ｔｘ（２）は、送信制御部１４０Ｂ−２によって起動された場合、通信装置１０Ａ−２への制御信号ｘ２の送信を開始する。
【０１０９】
なお、送信部Ｔｘ（２）は、第１の実施形態に係る送信部Ｔｘ（２）と同様に構成されてよい。そして、信号伝送システム１−２における他の送信部、すなわち、送信部Ｔｘ（１）、送信部Ｔｘ（５）〜Ｔｘ（８）も、送信部Ｔｘ（２）と同様に構成されてよい。
【０１１０】
通信装置１０Ａ−２において、受信制御部１７０Ａ−２は、制御信号ｘ２に対してコントロールチャンネル３０−２があらかじめ関連付けられていることを把握し、コントロールチャンネル３０−２によって通信装置１０Ｂ−２から伝送された制御信号ｘ２の受信を制御する。より具体的には、受信制御部１７０Ａ−２は、コントロールチャンネル３０−２に繋がる受信部Ｒｘ（２）を起動することによって、受信部Ｒｘ（２）によって制御信号ｘ２が通信装置１０Ｂ−２から受信されるように受信部Ｒｘ（２）を制御する。
【０１１１】
受信部Ｒｘ（２）は、受信制御部１７０Ａ−２による制御に従ってコントロールチャンネル３０−２を介して制御信号ｘ２を通信装置１０Ｂ−２から受信する。より具体的には、受信部Ｒｘ（２）は、受信制御部１７０Ａ−２によって起動された場合、通信装置１０Ｂ−２からの制御信号ｘ２の受信を開始する。
【０１１２】
なお、受信部Ｒｘ（２）は、第２の実施形態に係る受信部Ｒｘ（２）と同様に構成されてよい。そして、信号伝送システム１−２における他の受信部、すなわち、受信部Ｒｘ（１）、受信部Ｒｘ（５）〜Ｒｘ（８）も、受信部Ｒｘ（２）と同様に構成されてよい。
【０１１３】
受信信号制御部１５０Ａ−２は、コントロールチャンネル３０−２に繋がる受信部Ｒｘ（２）によって受信された制御信号ｘ２が制御信号ｘ２に対応する出力先に出力されるようにスイッチ部１１０Ａを制御する。そして、スイッチ部１１０Ａは、制御信号ｘ２を、受信信号制御部１５０Ａ−２による制御に従って制御信号ｘ２に対応する出力先に出力する。
【０１１４】
ここで、第１の実施形態と同様に、コントロールチャンネル３０−２によって伝送される制御信号ｘ２の通信品質が急激に劣化した場合を想定する。特に、第２の実施形態においては、通信装置１０Ｂ−２からコントロールチャンネル３０−２によって伝送される制御信号ｘ２の通信品質が劣化した場合、メインチャンネル２０−２〜２０−５の一部を解放して用いることによって、制御信号ｘ２の伝送チャンネルをシームレスに切り替える手法について主に説明する。
【０１１５】
第１の実施形態と同様に、制御信号ｘ２は、通信装置１０Ｂ−２におけるコントロールチャンネル用の送信部Ｔｘ（２）から、コントロールチャンネル３０−２（第１のチャンネル）により伝送されて、通信装置１０Ａ−２におけるコントロールチャンネル用の受信部Ｒｘ（２）によって受信される。そして、第１の実施形態と同様に、コントロールチャンネル用の受信部Ｒｘ（２）によって制御信号ｘ２の通信品質の劣化が検出されたとする。
【０１１６】
情報提供部１６０Ａ−２は、コントロールチャンネル用の送信部Ｔｘ（１）を介して、通信装置１０Ｂ−２にコントロールチャンネル変更要求を提供する。なお、通信装置１０Ｂ−２にコントロールチャンネル変更要求が提供された後も、コントロールチャンネル３０−２による制御信号ｘ２の伝送は継続されてよい。通信装置１０Ｂ−２において、コントロールチャンネル用の受信部Ｒｘ（１）は、コントロールチャンネル変更要求を受信する。そして、情報取得部１３０Ｂ−２は、コントロールチャンネル変更要求を取得する。
【０１１７】
情報提供部１６０Ｂ−２は、情報取得部１３０Ｂ−２によってコントロールチャンネル変更要求が取得された場合、コントロールチャンネル用の送信部Ｔｘ（２）を介して、通信装置１０Ａ−２にコントロールチャンネル変更受託を提供する。通信装置１０Ａ−２において、コントロールチャンネル用の受信部Ｒｘ（２）は、コントロールチャンネル変更受託を受信し、情報取得部１３０Ａ−２は、コントロールチャンネル変更受託を取得する。
【０１１８】
通信装置１０Ｂ−２においては、送信制御部１４０Ｂ−２は、メインストリーム（ビデオ信号ｘ５〜ｘ８）が伝送されるメインチャンネル２０−２〜２０−５の一部を解放してコントロールチャンネル（第２のチャンネル）として使用する。しかし、メインチャンネル２０−２〜２０−５の一部が解放されてしまうと、解放された当該一部の分だけメインチャンネル２０として利用される通信帯域が失われることになるため、現在のフォーマットを維持したままメインストリーム（ビデオ信号ｘ５〜ｘ８）の伝送を行うことは不可能となる。
【０１１９】
そこで、送信制御部１４０Ｂ−２は、メインチャンネル２０−２〜２０−５によって伝送されているメインストリーム（ビデオ信号ｘ５〜ｘ８）のフォーマット変更およびフォーマット変更に基づくメインストリームの伝送チャンネルの伝送構造変更によってメインチャンネル２０−２〜２０−５の一部を解放してコントロールチャンネル（第２のチャンネル）として使用する。このとき、送信制御部１４０Ｂ−２は、通信装置１０Ａ−２の受信能力、通信装置１０Ｂ−２の送信能力およびメインストリーム（ビデオ信号ｘ５〜ｘ８）に基づいて、フォーマット変更および伝送構造変更を行ってよい。
【０１２０】
ここで、一般的には現在表示されているビデオ信号のフォーマット変更を行ってしまうと、ビデオ信号を送受信する機器間での再同期が必要となるため、ビデオ信号の表示に一時停止を伴ってしまう。しかし、ピクセルクロック変更なしの帯域縮小（例えば、１２ビット画素を１０ビット画素にすることによる１７％の帯域削減など）、ピクセルクロック低減（例えば、フレームレート低減、信号の種類を色差信号に変更するなど）によって再同期を不要とし、ビデオ信号の表示の一時停止を避けることができる。
【０１２１】
図７には、送信制御部１４０Ｂ−２によって、メインチャンネル２０−２〜２０−５の一部として、メインチャンネル２０−５が新たなコントロールチャンネルにアサインされる例が示されている。
【０１２２】
送信制御部１４０Ｂ−２は、コントロールチャンネル用の送信部Ｔｘ（２）を介して、メインチャンネル２０−２〜２０−５によって伝送されているメインストリームのフォーマット変更（メインチャンネル２０−２〜２０−４によって伝送するように変更されたメインストリームの新たなフォーマット）およびメインストリームの伝送チャンネルの伝送構造変更（どのメインチャンネル２０によってどのビデオ成分を伝送するように変更するか）を示す構造変更通知を通信装置１０Ａ−２に提供する。
【０１２３】
また、送信制御部１４０Ｂ−２は、新たなコントロールチャンネルとしてアサインされたメインチャンネル２０−５の識別情報（チャンネル番号）を通信装置１０Ａ−２に提供する。ここでは、新たなコントロールチャンネルの識別情報が構造変更通知に含められる場合を主に想定するが、新たなコントロールチャンネルの識別情報は、構造変更通知とは別に提供されてもよい。
【０１２４】
また、新たなコントロールチャンネルの識別情報の通知および構造変更通知がなされるタイミングも特に限定されない。例えば、新たなコントロールチャンネルの識別情報の通知および構造変更通知は、通信品質の劣化が検出されたコントロールチャンネル３０−２を介して、新たなコントロールチャンネルの識別情報の通知および構造変更通知の受信を示すＡＣＫ信号が受信されるまで繰り返し行われてもよい。例えば、メインチャンネル２０−２〜２０−５によって伝送されていたメインストリーム（ビデオ信号ｘ５〜ｘ８）の中のデータ伝送に利用可能な領域（例えば、ブランキング区間など）によって伝送されてもよい。
【０１２５】
通信装置１０Ａ−２において、情報取得部１３０Ａ−２は、コントロールチャンネル用の受信部Ｒｘ（２）を介して、通信装置１０Ｂ−２から構造変更通知および新たなコントロールチャンネルの識別情報を取得する。受信制御部１７０Ａ−２は、新たなコントロールチャンネルの識別情報に基づいて、メインチャンネル２０−５を新たなコントロールチャンネルとしてアサインする。そして、情報提供部１６０Ａ−２は、コントロールチャンネル用の送信部Ｔｘ（１）を介して、通信装置１０Ｂ−２にアサイン完了通知を提供する。通信装置１０Ｂ−２においては、情報取得部１３０Ｂ−２によって、コントロールチャンネル用の受信部Ｒｘ（１）を介して、アサイン完了通知が取得される。
【０１２６】
通信装置１０Ｂ−２において、情報取得部１３０Ｂ−２が、コントロールチャンネル用の受信部Ｒｘ（１）を介してアサイン完了通知を取得すると、送信制御部１４０Ｂ−２は、新たなコントロールチャンネル用の送信部Ｔｘ（８）を介して、新たなコントロールチャンネル２０−５（第２のチャンネル）による通信装置１０Ａ−２への制御信号ｘ２の伝送を開始する。これによって、新たなコントロールチャンネル用の送信部Ｔｘ（８）は、コントロールチャンネル３０−２による制御信号ｘ２の伝送と並行して、制御信号ｘ２を通信装置１０Ａ−２に送信し始める。
【０１２７】
より具体的には、情報取得部１３０Ｂ−２によって、コントロールチャンネル用の受信部Ｒｘ（１）を介してアサイン完了通知が取得されると、送信信号制御部１２０Ｂ−２は、制御信号ｘ２が新たなコントロールチャンネル２０−５（第２のチャンネル）に繋がる新たなコントロールチャンネル用の送信部Ｔｘ（８）に入力されるようにスイッチ部１１０Ｂを制御する。そして、送信制御部１４０Ｂ−２は、送信部Ｔｘ（８）に入力された制御信号ｘ２の送信部Ｔｘ（８）による伝送が開始されるように送信部Ｔｘ（８）を制御する。
【０１２８】
一方、通信装置１０Ａ−２において、情報提供部１６０Ａ−２によって、コントロールチャンネル用の送信部Ｔｘ（１）を介してアサイン完了通知が提供されると、受信制御部１７０Ａ−２は、通信装置１０Ｂ−２から送信された制御信号ｘ２の新たなコントロールチャンネル用の受信部Ｒｘ（８）による受信を開始する。これによって、新たなコントロールチャンネル用の受信部Ｒｘ（８）は、コントロールチャンネル３０−２による制御信号ｘ２の伝送と並行して、制御信号ｘ２を通信装置１０Ｂ−２から受信し始める。
【０１２９】
より具体的には、情報提供部１６０Ａ−２によって、コントロールチャンネル用の送信部Ｔｘ（１）を介してアサイン完了通知が提供されると、受信制御部１７０Ａ−２は、伝送が開始された制御信号ｘ２の新たなコントロールチャンネル２０−５に繋がる新たなコントロールチャンネル用の受信部Ｒｘ（８）による受信が開始されるように受信部Ｒｘ（８）を制御する。受信信号制御部１５０Ａ−２は、新たなコントロールチャンネル用の受信部Ｒｘ（８）によって受信された制御信号ｘ２が制御信号ｘ２に対応する出力先に出力されるようにスイッチ部１１０Ａを制御する。
【０１３０】
新たなコントロールチャンネル用の受信部Ｒｘ（８）は、自身が受信する制御信号ｘ２の通信品質を検出する。そして、新たなコントロールチャンネル用の受信部Ｒｘ（８）が、自身が受信する制御信号ｘ２の通信品質が第２の閾値（第２の品質）よりも良いことを検出した場合、情報提供部１６０Ａ−２は、コントロールチャンネル用の送信部Ｔｘ（１）を介して、通信装置１０Ｂ−２に変更成功を提供する。
【０１３１】
受信制御部１７０Ａ−２は、新たなコントロールチャンネル用の送信部Ｔｘ（８）による制御信号ｘ２の伝送が開始されてから所定の条件が満たされた場合に、コントロールチャンネル３０−２を介したコントロールチャンネル用の受信部Ｒｘ（２）による制御信号ｘ２の受信を停止する。より具体的には、受信制御部１７０Ｂ−２は、情報提供部１６０Ｂ−２によって、コントロールチャンネル用の送信部Ｔｘ（１）を介して変更成功が提供された場合、コントロールチャンネル用の受信部Ｒｘ（２）の動作を停止してよい。これによって、消費電力が低減されることが期待される。
【０１３２】
通信装置１０Ｂ−２において、送信制御部１４０Ｂ−２は、新たなコントロールチャンネル用の送信部Ｔｘ（８）による制御信号ｘ２の伝送が開始されてから所定の条件が満たされた場合に、コントロールチャンネル３０−２を介したコントロールチャンネル用の送信部Ｔｘ（２）による制御信号ｘ２の伝送を停止する。より具体的に、送信制御部１４０Ｂ−２は、情報取得部１３０Ｂ−２によって、コントロールチャンネル用の受信部Ｒｘ（１）を介して変更成功が取得された場合、コントロールチャンネル用の送信部Ｔｘ（２）の動作を停止してよい。これによって、消費電力が低減されることが期待される。
【０１３３】
なお、以上においては、所定の条件の例として、通信装置１０Ｂ−１から新たなコントロールチャンネル２０−５によって伝送されて通信装置１０Ａ−２によって受信された制御信号ｘ２の通信品質が第２の閾値よりも良いという条件を想定した。しかし、所定の条件は、かかる場合に限定されない。例えば、所定の条件は、新たなコントロールチャンネル用の送信部Ｔｘ（８）によって制御信号ｘ２の伝送が開始されてから所定の時間が経過したという条件であってもよい。
【０１３４】
以上、第２の実施形態に係る通信装置１０の構成例について説明した。
【０１３５】
（２−３．信号伝送システムの動作）
続いて、第２の実施形態に係る信号伝送システム１−２の動作の例について説明する。
【０１３６】
図１０〜図１２は、第２の実施形態に係る信号伝送システム１−２の動作の例を示すフローチャートである。図１０〜図１２を参照しながら（図７〜図９も適宜参照しながら）、最初に、コントロールチャンネル変更要求を提供する通信装置１０Ａ−２の動作の例について説明し、続いて、コントロールチャンネル変更要求を取得する通信装置１０Ｂ−２の動作の例について説明する。まず、コントロールチャンネル変更要求を提供する通信装置１０Ａ−２の動作の例について説明する。
【０１３７】
図１０に示されるように、ケーブル６０−２によって両デバイス（通信装置１０Ａ−２と通信装置１０Ｂ−２）が接続され（Ｓ１１Ａ）、通信装置１０Ａ−２の電源がＯＮにされると（Ｓ１２Ａ）、通信装置１０Ａ−２によって、通信装置１０Ｂ−２との間で制御信号およびビデオ信号の通信が開始される（Ｓ１３Ａ）。ここで、コントロールチャンネル用の受信部Ｒｘ（２）によって、自身が受信する制御信号ｘ２の通信品質の劣化を検出した場合を想定する（Ｓ１４Ａ）。
【０１３８】
このとき、コントロールチャンネル用の送信部Ｔｘ（１）は、通信装置１０Ｂ−２にコントロールチャンネル変更要求を提供する（Ｓ４１Ａ）。
【０１３９】
図１１に示されるように、通信装置１０Ａ−２において、コントロールチャンネル変更要求を提供してからの時間が、コントロールチャンネル変更受託受信のための待機時間を経過した場合には（Ｓ２１Ａにおいて「Ｙｅｓ」）、Ｓ４１Ａのコントロールチャンネル変更要求の再送に動作が移行される。一方、通信装置１０Ａ−２において、コントロールチャンネル変更要求を提供してからの時間が、コントロールチャンネル変更受託受信のための待機時間を経過していない場合には（Ｓ２１Ａにおいて「Ｎｏ」）、Ｓ２２Ａに動作が移行される。
【０１４０】
続いて、コントロールチャンネル用の受信部Ｒｘ（２）がコントロールチャンネル変更受託を受信しない場合には（Ｓ２２Ａにおいて「Ｎｏ」）、Ｓ２１Ａのコントロールチャンネル変更要求を提供してからの時間が、コントロールチャンネル変更受託受信のための待機時間を経過したか否かの判断に動作が移行される。一方、コントロールチャンネル用の受信部Ｒｘ（２）が、コントロールチャンネル変更受託を受信した場合には（Ｓ２２Ａにおいて「Ｙｅｓ」）、情報取得部１３０Ａ−２は、コントロールチャンネル用の受信部Ｒｘ（２）を介して、構造変更通知および新たなコントロールチャンネルの識別情報の通知を受領する（Ｓ５１Ａ）。
【０１４１】
続いて、受信制御部１７０Ａ−２は、新たなコントロールチャンネルの識別情報に基づいて、メインチャンネル２０−５を新たなコントロールチャンネルとしてアサインする（Ｓ５２Ａ）。そして、コントロールチャンネル用の送信部Ｔｘ（１）は、通信装置１０Ｂ−２にアサイン完了通知を送信する（Ｓ５３Ａ）。
【０１４２】
図１２に示されるように、通信装置１０Ｂ−２から新たなコントロールチャンネル２０−５によって制御信号が伝送されると（コントロールチャンネル３０−２によって伝送される制御信号と同一の制御信号の送信がなされると）、新たなコントロールチャンネル用の受信部Ｒｘ（８）は、新たなコントロールチャンネル２０−５によって伝送された制御信号を受信する（Ｓ６１Ａ）。新たなコントロールチャンネル用の受信部Ｒｘ（８）は、自身が受信する制御信号とコントロールチャンネル３０−２を介して受信される制御信号とが同一であることを確認する。制御信号同士の同一性の判断は、第１の実施形態と同様になされてよい。
【０１４３】
続いて、新たなコントロールチャンネル用の受信部Ｒｘ（８）が受信する制御信号の通信品質がＮＧである場合、すなわち、通信品質が第２の閾値（第２の品質）よりも良いことが検出されない場合（Ｓ３２Ａにおいて「Ｎｏ」）、中断手続きが実行される（Ｓ６４Ａ）。中断手続きにおいては、ビデオフォーマット変更および伝送構造変更が元に戻されてよく、新たなコントロールチャンネル２０−５による制御信号の伝送が停止されてよい。
【０１４４】
一方、新たなコントロールチャンネル用の受信部Ｒｘ（８）が受信する制御信号の通信品質がＯＫである場合、すなわち、通信品質が第２の閾値（第２の品質）よりも良いことが検出された場合（Ｓ３２Ａにおいて「Ｙｅｓ」）、コントロールチャンネル用の送信部Ｔｘ（１）によって変更成功が送信され（Ｓ３３Ａ）、コントロールチャンネル用の受信部Ｒｘ（２）の動作が停止される（Ｓ３５Ａ）。これによって、消費電力が低減されることが期待される。
【０１４５】
続いて、図１０〜図１２を参照しながら（図７〜図９も適宜参照しながら）、コントロールチャンネル変更要求を取得する通信装置１０Ｂ−２の動作の例について説明する。
【０１４６】
図１０に示されるように、ケーブル６０−２によって両デバイス（通信装置１０Ａ−２と通信装置１０Ｂ−２）が接続され（Ｓ１１Ｂ）、通信装置１０Ｂ−２の電源がＯＮにされると（Ｓ１２Ｂ）、通信装置１０Ｂ−２によって、通信装置１０Ａ−２との間で制御信号およびビデオ信号の通信が開始される（Ｓ１３Ｂ）。ここで、通信装置１０Ａ−２におけるコントロールチャンネル用の受信部Ｒｘ（２）によって、制御信号ｘ２の通信品質の劣化を検出した場合を想定する。
【０１４７】
このとき、コントロールチャンネル用の受信部Ｒｘ（１）は、通信装置１０Ａ−２からコントロールチャンネル変更要求を受信する（Ｓ４１Ｂ）。
【０１４８】
図１１に示されるように、通信装置１０Ｂ−２において、コントロールチャンネル用の送信部Ｔｘ（２）は、コントロールチャンネル変更受託を送信する（Ｓ２２Ｂ）。そして、送信制御部１４０Ｂ−２は、メインチャンネル２０−２〜２０−５によって伝送されているメインストリーム（ビデオ信号ｘ５〜ｘ８）のフォーマット変更および伝送チャンネルの伝送構造変更を行い、解放されたコントロールチャンネルを新たなコントロールチャンネルにアサインする（Ｓ５１Ｂ）。その後、通信装置１０Ａ−１からコントロールチャンネル用の受信部Ｒｘ（１）によって、アサイン完了通知が受信される（Ｓ５３Ｂ）。
【０１４９】
図１２に示されるように、新たなコントロールチャンネル用の送信部Ｔｘ（８）は、制御信号を送信する（コントロールチャンネル３０−２によって伝送される制御信号と同一の制御信号を送信する）（Ｓ６１Ｂ）。通信装置１０Ｂ−２において、制御信号を送信し始めてからの時間が、変更成功受信のための待機時間を経過した場合には（Ｓ３２Ｂにおいて「Ｙｅｓ」）、中断手続きが実行される（Ｓ６４Ｂ）。中断手続きにおいては、ビデオフォーマット変更および伝送構造変更が元に戻されてよく、新たなコントロールチャンネル２０−５による制御信号の伝送が停止されてよい。
【０１５０】
一方、通信装置１０Ｂ−２において、制御信号を送信し始めてからの時間が、変更成功受信のための待機時間を経過した場合には（Ｓ３２Ｂにおいて「Ｎｏ」）、Ｓ３３Ｂに動作が移行される。
【０１５１】
続いて、コントロールチャンネル用の受信部Ｒｘ（１）が変更成功を受信しない場合には（Ｓ３３Ｂにおいて「Ｎｏ」）、Ｓ３２Ｂの制御信号を送信し始めてからの時間が、変更成功受信のための待機時間を経過したか否かの判断に動作が移行される。一方、コントロールチャンネル用の受信部Ｒｘ（１）は、変更成功を受信した場合には（Ｓ３３Ｂにおいて「Ｙｅｓ」）、コントロールチャンネル用の送信部Ｔｘ（２）の動作が停止される（Ｓ３５Ｂ）。これによって、消費電力が低減されることが期待される。
【０１５２】
以上、第２の実施形態に係る信号伝送システム１−２の動作の例について説明した。
【０１５３】
（３．むすび）
以上説明したように、本開示の実施形態によれば、第１のチャンネルによって伝送されて受信装置によって受信された制御信号の通信品質が第１の品質よりも悪いことが検出された場合に前記受信装置から送信されたチャンネル変更要求を取得する情報取得部と、前記チャンネル変更要求が取得された場合に、前記第１のチャンネルとは異なる第２のチャンネルによる前記受信装置への前記制御信号の伝送を開始する送信制御部と、を備え、前記送信制御部は、前記第２のチャンネルによる前記制御信号の伝送が開始されてから所定の条件が満たされた場合に、前記第１のチャンネルによる前記制御信号の伝送を停止する、送信制御装置が提供される。
【０１５４】
かかる構成によれば、２つの機器間においてメインストリームと制御信号とが並行して伝送される場合に、制御信号の通信品質が劣化した場合であっても、メインストリームの伝送を途切らせずにメインストリームの伝送を継続することが可能となる。
【０１５５】
また、本開示の実施形態によれば、送信装置から第１のチャンネルにより伝送されて受信装置によって受信された制御信号の通信品質が第１の品質よりも悪いことが検出された場合に前記送信装置にチャンネル変更要求を提供する情報提供部と、前記チャンネル変更要求に基づいて前記第１のチャンネルとは異なる第２のチャンネルによって前記制御信号が前記送信装置から伝送開始されて前記受信装置によって受信された場合に、前記制御信号を取得する受信制御部と、を備え、前記第２のチャンネルによる前記制御信号の伝送が開始されてから所定の条件が満たされた場合に、前記第１のチャンネルによる前記制御信号の伝送が停止される、受信制御装置が提供される。
【０１５６】
かかる構成によれば、２つの機器間においてメインストリームと制御信号とが並行して伝送される場合に、制御信号の通信品質が劣化した場合であっても、メインストリームの伝送を途切らせずにメインストリームの伝送を継続することが可能となる。
【０１５７】
以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【０１５８】
例えば、通信装置１０Ａ−１が備える各機能ブロックは、別個のＩＣ（Ｉｎｔｅｇｒａｔｅｄ  Ｃｉｒｃｕｉｔ）に実装されてもよいし、いずれかの組み合わせが同一のＩＣに実装されてもよい。通信装置１０Ａ−２が備える各機能ブロックも、別個のＩＣに実装されてもよいし、いずれかの組み合わせが同一のＩＣに実装されてもよい。また、例えば、通信装置１０Ｂ−１が備える各機能ブロックは、別個のＩＣに実装されてもよいし、いずれかの組み合わせが同一のＩＣに実装されてもよい。通信装置１０Ｂ−２が備える各機能ブロックも、別個のＩＣに実装されてもよいし、いずれかの組み合わせが同一のＩＣに実装されてもよい。
【０１５９】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏し得る。
【０１６０】
なお、以下のような構成も本開示の技術的範囲に属する。
（１）
第１のチャンネルによって伝送されて受信装置によって受信された制御信号の通信品質が第１の品質よりも悪いことが検出された場合に前記受信装置から送信されたチャンネル変更要求を取得する情報取得部と、
前記チャンネル変更要求が取得された場合に、前記第１のチャンネルとは異なる第２のチャンネルによる前記受信装置への前記制御信号の伝送を開始する送信制御部と、を備え、
前記送信制御部は、前記第２のチャンネルによる前記制御信号の伝送が開始されてから所定の条件が満たされた場合に、前記第１のチャンネルによる前記制御信号の伝送を停止する、
送信制御装置。
（２）
前記情報取得部は、前記所定の条件として、前記第２のチャンネルにより伝送されて前記受信装置によって受信された前記制御信号の通信品質が第２の品質よりも良いという条件が満たされた場合に、前記受信装置から送信された伝送停止要求を取得し、
前記送信制御部は、前記伝送停止要求が取得された場合に、前記第１のチャンネルによる前記制御信号の伝送を停止する、
前記（１）に記載の送信制御装置。
（３）
前記送信制御部は、冗長チャンネルを前記第２のチャンネルとして使用する、
前記（１）または（２）に記載の送信制御装置。
（４）
前記送信制御部は、コンテンツが伝送される複数のチャンネルの一部を解放して前記第２のチャンネルとして使用する、
前記（１）または（２）に記載の送信制御装置。
（５）
前記送信制御部は、前記コンテンツのフォーマット変更および前記フォーマット変更に基づく前記コンテンツの伝送チャンネルの伝送構造変更によって前記複数のチャンネルの一部を解放して前記第２のチャンネルとして使用する、
前記（４）に記載の送信制御装置。
（６）
前記送信制御部は、前記フォーマット変更および前記伝送構造変更を示す変更通知を前記受信装置に提供する、
前記（５）に記載の送信制御装置。
（７）
前記送信制御部は、前記第２のチャンネルの識別情報を前記受信装置に提供する、
前記（１）〜（６）のいずれか一項に記載の送信制御装置。
（８）
前記送信制御装置は、
前記チャンネル変更要求が取得された場合に、前記制御信号が前記第２のチャンネルに繋がる送信部に入力されるように制御する送信信号制御部を備え、
前記送信制御部は、前記チャンネル変更要求が取得された場合に、前記送信部に入力された前記制御信号の前記第２のチャンネルによる伝送が開始されるように前記送信部を制御する、
前記（１）〜（７）のいずれか一項に記載の送信制御装置。
（９）
第１のチャンネルによって伝送されて受信装置によって受信された制御信号の通信品質が第１の品質よりも悪いことが検出された場合に前記受信装置から送信されたチャンネル変更要求を取得することと、
前記チャンネル変更要求が取得された場合に、前記第１のチャンネルとは異なる第２のチャンネルによる前記受信装置への前記制御信号の伝送を開始することと、を備え、
プロセッサにより、前記第２のチャンネルによる前記制御信号の伝送が開始されてから所定の条件が満たされた場合に、前記第１のチャンネルによる前記制御信号の伝送を停止すること、
を含む、送信制御方法。
（１０）
送信装置から第１のチャンネルにより伝送されて受信装置によって受信された制御信号の通信品質が第１の品質よりも悪いことが検出された場合に前記送信装置にチャンネル変更要求を提供する情報提供部と、
前記チャンネル変更要求に基づいて前記第１のチャンネルとは異なる第２のチャンネルによって前記制御信号が前記送信装置から伝送開始されて前記受信装置によって受信された場合に、前記制御信号を取得する受信制御部と、を備え、
前記第２のチャンネルによる前記制御信号の伝送が開始されてから所定の条件が満たされた場合に、前記第１のチャンネルによる前記制御信号の伝送が停止される、
受信制御装置。
（１１）
前記情報提供部は、前記所定の条件として、前記第２のチャンネルにより伝送されて前記受信装置によって受信された前記制御信号の通信品質が第２の品質よりも良いという条件が満たされた場合に、前記送信装置に伝送停止要求を提供し、
前記送信装置によって前記伝送停止要求が取得された場合、前記送信装置によって前記第１のチャンネルによる前記制御信号の伝送が停止される、
前記（１０）に記載の受信制御装置。
（１２）
前記第２のチャンネルとして、冗長チャンネルが使用される、
前記（１０）または（１１）に記載の受信制御装置。
（１３）
前記第２のチャンネルとして、コンテンツが伝送される複数のチャンネルの一部が解放されて使用される、
前記（１０）または（１１）に記載の受信制御装置。
（１４）
前記第２のチャンネルとして、前記コンテンツのフォーマット変更および前記フォーマット変更に基づく前記コンテンツの伝送チャンネルの伝送構造変更によって前記複数のチャンネルの一部が解放されて使用される、
前記（１３）に記載の受信制御装置。
（１５）
前記受信制御部は、前記フォーマット変更および前記伝送構造変更に応じた変更通知を前記送信装置から取得する、
前記（１４）に記載の受信制御装置。
（１６）
前記受信制御部は、前記第２のチャンネルの識別情報を前記送信装置から取得する、
前記（１０）〜（１５）のいずれか一項に記載の受信制御装置。
（１７）
前記受信制御部は、前記第２のチャンネルによって伝送開始された前記制御信号の前記第２のチャンネルに繋がる受信部による受信が開始されるように制御し、
前記受信制御装置は、
前記受信部によって受信された前記制御信号が前記制御信号に対応する出力先に出力されるように制御する受信信号制御部を備える、
前記（１０）〜（１６）のいずれか一項に記載の受信制御装置。
（１８）
送信装置から第１のチャンネルにより伝送されて受信装置によって受信された制御信号の通信品質が第１の品質よりも悪いことが検出された場合に前記送信装置にチャンネル変更要求を提供することと、
プロセッサにより、前記チャンネル変更要求に基づいて前記第１のチャンネルとは異なる第２のチャンネルによって前記制御信号が前記送信装置から伝送開始されて前記受信装置によって受信された場合に、前記制御信号を取得することと、を含み、
前記第２のチャンネルによる前記制御信号の伝送が開始されてから所定の条件が満たされた場合に、前記第１のチャンネルによる前記制御信号の伝送が停止される、
受信制御方法。
（１９）
送信制御装置と、受信制御装置とを有する、信号伝送システムであって、
前記送信制御装置は、
第１のチャンネルによって伝送されて受信装置によって受信された制御信号の通信品質が第１の品質よりも悪いことが検出された場合に前記受信装置から送信されたチャンネル変更要求を取得する情報取得部と、
前記チャンネル変更要求が取得された場合に、前記第１のチャンネルとは異なる第２のチャンネルによる前記受信装置への前記制御信号の伝送を開始する送信制御部と、を備え、
前記送信制御部は、前記第２のチャンネルによる前記制御信号の伝送が開始されてから所定の条件が満たされた場合に、前記第１のチャンネルによる前記制御信号の伝送を停止し、
前記受信制御装置は、
送信装置から前記第１のチャンネルにより伝送されて前記受信装置によって受信された前記制御信号の通信品質が前記第１の品質よりも悪いことが検出された場合に前記送信装置に前記チャンネル変更要求を提供する情報提供部と、
前記チャンネル変更要求に基づいて前記第２のチャンネルによって前記制御信号が前記送信装置から伝送開始されて前記受信装置によって受信された場合に、前記制御信号を取得する受信制御部と、を備える、
信号伝送システム。
（２０）
前記情報取得部は、前記所定の条件として、前記第２のチャンネルにより伝送されて前記受信装置によって受信された前記制御信号の通信品質が第２の品質よりも良いという条件が満たされた場合に、前記受信装置から送信された伝送停止要求を取得し、
前記送信制御部は、前記伝送停止要求が取得された場合に、前記第１のチャンネルによる前記制御信号の伝送を停止する、
前記（１９）に記載の信号伝送システム。
【符号の説明】
【０１６１】
１      信号伝送システム
１０（１０Ａ、１０Ｂ）  通信装置
１１０（１１０Ａ、１１０Ｂ）  スイッチ部
１２０（１２０Ａ、１２０Ｂ）  送信信号制御部
１３０（１３０Ａ、１３０Ｂ）  情報取得部
１４０（１４０Ａ、１４０Ｂ）  送信制御部
１５０（１５０Ａ、１５０Ｂ）  受信信号制御部
１６０（１６０Ａ、１６０Ｂ）  情報提供部
１７０（１７０Ａ、１７０Ｂ）  受信制御部
２０    メインチャンネル
３０    コントロールチャンネル
４０    冗長チャンネル
５０Ａ−１  冗長チャンネル用の送信部
５０Ａ−２  冗長チャンネル用の受信部
５０Ａ−３  冗長チャンネル用の送信部
５０Ｂ−１  冗長チャンネル用の受信部
５０Ｂ−２  冗長チャンネル用の送信部
５０Ｂ−３  冗長チャンネル用の受信部
６０    ケーブル
Ｔｘ    送信部
Ｒｘ    受信部
【図１】
2019123837.tif 000003
【図２】
2019123837.tif 000004
【図３】
2019123837.tif 000005
【図４】
2019123837.tif 000006
【図５】
2019123837.tif 000007
【図６】
2019123837.tif 000008
【図７】
2019123837.tif 000009
【図８】
2019123837.tif 000010
【図９】
2019123837.tif 000011
【図１０】
2019123837.tif 000012
【図１１】
2019123837.tif 000013
【図１２】
2019123837.tif 000014
【国際調査報告】
2019123837.tif 000015
2019123837.tif 000016
2019123837.tif 000017
2019123837.tif 000018